(57)【要約】      （修正有）【課題】給水配管および給湯配管の配置を変更することなく手動吐水および自動吐水を行うこと。【解決手段】実施形態に係る湯水混合水栓１は、水流入孔２と、湯流入孔３と、第１の流出孔４および第２の流出孔５と、可動弁体とを備える。水流入孔２は、給水配管２ａへ通じる。湯流入孔３は、水流入孔２と並べて配置され、給湯配管３ａへ通じる。第１の流出孔４および第２の流出孔５は、水流入孔２および湯流入孔３を両流入孔の並び向きと交差する向きで挟んで配置される。可動弁体は、水流入孔２および湯流入孔３の一方または双方を、第１の流出孔４および第２の流出孔５のいずれかと連通させる。【選択図】図１
2016038061.tif 000002
【特許請求の範囲】
【請求項１】
給水配管へ通じる水流入孔と、
前記水流入孔と並べて配置され、給湯配管へ通じる湯流入孔と、
前記水流入孔および前記湯流入孔を両流入孔の並び向きと交差する向きで挟んで配置される第１の流出孔および第２の流出孔と、
前記水流入孔および前記湯流入孔の一方または双方を、前記第１の流出孔および前記第２の流出孔のいずれかと連通させる可動弁体と
を備えることを特徴とする湯水混合水栓。
【請求項２】
前記可動弁体は、
前記水流入孔および前記湯流入孔の一方または双方を、前記第１の流出孔と連通させる第１の連通部と、
前記水流入孔および前記湯流入孔の一方または双方を、前記第２の流出孔と連通させる第２の連通部と
を備えることを特徴とする請求項１に記載の湯水混合水栓。
【請求項３】
前記第１の流出孔および前記第２の流出孔の一方または双方を有する固定弁体を備え、
前記可動弁体は、
前記第１の連通部および前記第２の連通部のうち前記固定弁体が有する流出孔に対応する連通部を前記固定弁体との摺動面に備えること
を特徴とする請求項２に記載の湯水混合水栓。
【請求項４】
前記第１の流出孔および前記第２の流出孔の一方が前記固定弁体の外部に設けられ、
前記可動弁体は、
前記第１の連通部および前記第２の連通部のうち前記固定弁体の外部に設けられる流出孔に対応する連通部として、前記摺動面における周縁部に設けられた切欠きを備えること
を特徴とする請求項３に記載の湯水混合水栓。
【請求項５】
前記第１の連通部による連通位置と前記第２の連通部による連通位置との距離が、前記水流入孔および前記湯流入孔の開口幅よりも大きいこと
を特徴とする請求項３または４に記載の湯水混合水栓。
【請求項６】
前記第１の流出孔から流出される流出水が流れる第１の流路と、
前記第２の流出孔から流出される流出水が流れる第２の流路と、
前記第１の流路および前記第２の流路が合流する合流部と、
前記合流部よりも上流側の前記第２の流路に配置される電気駆動式の開閉弁と、
対象物を検知する検知センサと、
前記検知センサの検知に基づいて前記開閉弁を開閉制御する制御部と
を備えることを特徴とする請求項１〜５のいずれか一つに記載の湯水混合水栓。
【請求項７】
前記第１の流出孔から前記流出水が流出しているか否かを検知する流出検知センサを備え、
前記制御部は、
前記流出検知センサによって前記流出水の流出が検知された場合に、前記開閉弁を閉じた状態に維持する制御を行うこと
を特徴とする請求項６に記載の湯水混合水栓。
【請求項８】
前記流出検知センサは、
前記第１の流路に配置されるフローセンサであること
を特徴とする請求項７に記載の湯水混合水栓。
【発明の詳細な説明】
【技術分野】
【０００１】
開示の実施形態は、湯水混合水栓に関する。
【背景技術】
【０００２】
従来、湯水混合水栓に自動吐水機能を付加したものが知られている。かかる自動吐水機能付き湯水混合水栓としては、固定弁体に手動吐水用の流出孔および自動吐水用の流出孔を設けたものがある（たとえば、特許文献１参照）。
【０００３】
また、かかる湯水混合水栓における手動吐水用の流出孔は、可動弁体を介して水流入孔や湯流入孔と連通または連通遮断される。一方、自動吐水用の流出孔は、可動弁体を介して水流入孔や湯流入孔と常時連通される。
【０００４】
ここで、通常、水および湯の切り替えは、使用者が水栓のレバーハンドルを時計回りに回動させると湯が吐出し、反時計回りに回動させると水が吐出するパターンに設定されている。
【先行技術文献】
【特許文献】
【０００５】
【特許文献１】特開２０１４−２０５４１号公報
【発明の概要】
【発明が解決しようとする課題】
【０００６】
しかしながら、上述した従来の湯水混合水栓では、水および湯の切り替えを上記通常のパターンで行おうとすると、水流入孔と湯流入孔との配置を一般的な配置とは逆にしなければならない。このため、従来の湯水混合水栓では、給水配管および給湯配管を一般的な配置とは逆にする必要があった。
【０００７】
実施形態の一態様は、上記に鑑みてなされたものであって、給水配管および給湯配管の配置を変更することなく手動吐水および自動吐水を行うことができる湯水混合水栓を提供することを目的とする。
【課題を解決するための手段】
【０００８】
実施形態の一態様に係る湯水混合水栓は、給水配管へ通じる水流入孔と、前記水流入孔と並べて配置され、給湯配管へ通じる湯流入孔と、前記水流入孔および前記湯流入孔を両流入孔の並び向きと交差する向きで挟んで配置される第１の流出孔および第２の流出孔と、前記水流入孔および前記湯流入孔の一方または双方を、前記第１の流出孔および前記第２の流出孔のいずれかと連通させる可動弁体とを備えることを特徴とする。
【０００９】
可動弁体を、第１の流出孔および第２の流出孔のいずれかと連通させた状態で水流入孔および湯流入孔の並びに沿って動作させることで、連通させた流出孔から水流入孔および湯流入孔の並び通りに水、湯水混合水または湯を流出させることができる。すなわち、可動弁体の動作方向と２つの流入孔の並びとを一致させることができる。これにより、たとえば、２つの流出孔のいずれかを自動吐水用としても、給水配管および給湯配管の配置を変更する必要はなくなる。
【００１０】
また、前記可動弁体は、前記水流入孔および前記湯流入孔の一方または双方を、前記第１の流出孔と連通させる第１の連通部と、前記水流入孔および前記湯流入孔の一方または双方を、前記第２の流出孔と連通させる第２の連通部とを備えることを特徴とする。可動弁体の外部に第１の連通部および第２の連通部を設けないため、２つの連通部が可動弁体の動作を妨げることはない。これにより、可動弁体の動作領域を大きくとることができる。
【００１１】
前記第１の流出孔および前記第２の流出孔の一方または双方を有する固定弁体を備え、前記可動弁体は、前記第１の連通部および前記第２の連通部のうち前記固定弁体が有する流出孔に対応する連通部を前記固定弁体との摺動面に備えることを特徴とする。これにより、固定弁体の構成を簡素にすることができる。また、固定弁体同様、可動弁体の構成を簡素にすることができる。
【００１２】
前記第１の流出孔および前記第２の流出孔の一方が前記固定弁体の外部に設けられ、前記可動弁体は、前記第１の連通部および前記第２の連通部のうち前記固定弁体の外部に設けられる流出孔に対応する連通部として、前記摺動面における周縁部に設けられた切欠きを備えることを特徴とする。これにより、固定弁体の外部に連通部を設けることなく外部の流出孔との連通が可能となる。したがって、固定弁体の構成が簡素になる。
【００１３】
前記第１の連通部による連通位置と前記第２の連通部による連通位置との距離が、前記水流入孔および前記湯流入孔の開口幅よりも大きいことを特徴とする。これにより、第１の連通部および第２の連通部によるそれぞれの連通が確実に分離され、２つの連通部が同時に連通することを防ぐことができる。
【００１４】
前記第１の流出孔から流出される流出水が流れる第１の流路と、前記第２の流出孔から流出される流出水が流れる第２の流路と、前記第１の流路および前記第２の流路が合流する合流部と、前記合流部よりも上流側の前記第２の流路に配置される電気駆動式の開閉弁と、対象物を検知する検知センサと、前記検知センサの検知に基づいて前記開閉弁を開閉制御する制御部とを備えることを特徴とする。これにより、第１の流路を手動吐水に用い、第２の流路を自動吐水に用いることができる。
【００１５】
前記第１の流出孔から前記流出水が流出しているか否かを検知する流出検知センサを備え、前記制御部は、前記流出検知センサによって前記流出水の流出が検知された場合に、前記開閉弁を閉じた状態に維持する制御を行うことを特徴とする。検知センサが手動吐水中を検知することで、手動吐水中に自動吐水側からの流出水の流出による手動吐水の流量変化を抑えることができる。
【００１６】
前記流出検知センサは、前記第１の流路に配置されるフローセンサであることを特徴とする。これにより、簡素な構成で、かつ、確実に手動吐水を検知することができる。
【発明の効果】
【００１７】
実施形態の一態様によれば、給水配管および給湯配管の配置を変更することなく手動吐水および自動吐水を行うことができる。
【図面の簡単な説明】
【００１８】
【図１】図１は、実施形態に係る湯水混合水栓の概要説明図である。
【図２】図２は、湯水混合水栓の全体説明図である。
【図３】図３は、レバーハンドルの説明図である。
【図４】図４は、弁ユニットの模式正面断面図である。
【図５】図５は、弁ユニットの模式分解斜視図である。
【図６】図６は、可動弁体の底面図である。
【図７】図７は、可動弁体の動作説明図（自動吐水）である。
【図８】図８は、可動弁体の動作説明図（自動吐水）である。
【図９】図９は、可動弁体の動作説明図（手動吐水）である。
【図１０】図１０は、可動弁体の動作説明図（手動吐水）である。
【図１１】図１１は、可動弁体による連通動作の説明図である。
【図１２】図１２は、可動弁体による連通動作の説明図である。
【発明を実施するための形態】
【００１９】
以下、添付図面を参照して、本願の開示する湯水混合水栓の実施形態を詳細に説明する。なお、以下に示す実施形態によりこの発明が限定されるものではない。
【００２０】
まず、図１を参照して実施形態に係る湯水混合水栓の概要について説明する。図１は、実施形態に係る湯水混合水栓の概要説明図である。なお、図１では、水流入孔および湯流入孔の一方または双方が第１の流出孔と連通する場合を示している。また、図１では、湯が流出する場合を図の上部に、湯水混合水が流出する場合を中央に、水が流出する場合を下部に示している。
【００２１】
また、湯水混合水栓では、レバーハンドルの回動操作によって湯水の吐水量調節および温度調節を行う。さらに、以下で説明する湯水混合水栓は、吐水口からの吐水を自動で行う自動吐水機能を備える。このような湯水混合水栓は、台所や給湯室、洗面所等の設置台に設けられる。
【００２２】
図１に示すように、湯水混合水栓１は、水流入孔２と、湯流入孔３と、第１の流出孔４と、第２の流出孔５と、可動弁体６とを備える。水流入孔２は、給水配管２ａへ通じるとともに、水を後述する弁ユニットの内部空間へと流入させる孔である。なお、水流入孔２には後述する給水源から給水配管２ａを通じて常温水が供給される。
【００２３】
湯流入孔３は、給湯配管３ａへ通じるとともに、湯を弁ユニットの内部空間へと流入させる孔である。なお、湯流入孔３には後述する給湯源から給湯配管３ａを通じて湯が供給される。また、湯流入孔３は、水流入孔２と並べて配置される。
【００２４】
第１の流出孔４および第２の流出孔５は、水流入孔２および湯流入孔３を２つの流入孔２，３の並びに対して交差する向きに挟んで配置される。また、たとえば、第１の流出孔４および第２の流出孔５のいずれか一方を手動吐水用とし、他方を自動吐水用とすることができる。
【００２５】
可動弁体６は、水流入孔２および湯流入孔３の一方または双方を、第１の流出孔４および第２の流出孔５のいずれかと連通させる。また、可動弁体６を２つの流出孔４，５のいずれかと連通させた状態で水流入孔２および湯流入孔３の並びに沿って動作させると、連通させた流出孔４（または５）から水流入孔２および湯流入孔３の並び通りに水、湯水混合水または湯が流出する。したがって、図１の例では、可動弁体６を動作させると、第１の流出孔４から２つの流入孔２，３の並び通りに水、湯水混合水または湯が流出する。
【００２６】
すなわち、湯水混合水栓１では、可動弁体６の動作方向と水流入孔２および湯流入孔３の並びとを一致させることができる。これにより、たとえば、２つの流出孔４，５のいずれかを自動吐水用としても、可動弁体６の動作方向と２つの流入孔（水流入孔２および湯流入孔３）の並びとが逆転せず、給水配管２ａおよび給湯配管３ａの配置を変更する必要はなくなる。
【００２７】
なお、湯水混合水栓１では、可動弁体６が、２つの流入孔２，３の一方または双方を第１の流出孔４と連通させる第１の連通部と、２つの流入孔２，３の一方または双方を第２の流出孔５と連通させる第２の連通部とを備えることとした。このような構成については、図５〜図１０を用いて後述する。
【００２８】
また、湯水混合水栓１では、２つの流出孔４，５の一方または双方を有する固定弁体を備えることとした。さらに、可動弁体６が、第１の連通部および第２の連通部のうち固定弁体が有する流出孔４，５に対応する連通部を固定弁体との摺動面に備えることとした。このような構成についても、図５〜図１０を用いて後述する。
【００２９】
また、湯水混合水栓１では、２つの流出孔４，５の一方が固定弁体の外部に設けられることとした。さらに、可動弁体６は、第１の連通部および第２の連通部のうち固定弁体外部の流出孔に対応する連通部として、摺動面における周縁部に切欠きを備えることとした。このような構成についても、図５〜図１０を用いて後述する。
【００３０】
また、湯水混合水栓１では、第１の連通部による連通位置と第２の連通部による連通位置との距離が、水流入孔２および湯流入孔３の開口幅よりも大きいこととした。このような構成についても、図５〜図１０を用いて後述する。
【００３１】
また、湯水混合水栓１では、自動吐水機能を実現するために、検知センサと、開閉弁と、制御部とを備えることとした。さらに、流出検知センサを備えることとした。このような構成については、図２を用いて後述する。
【００３２】
次に、図２を参照して湯水混合水栓１の全体構成について説明する。図２は、湯水混合水栓１の全体説明図である。図２に示すように、湯水混合水栓１は、本体部１０と、流路部２０と、吐水部３０と、制御部１００とを備える。
【００３３】
図２に示すように、本体部１０は、弁ユニット１１と、レバーハンドル１２とを備える。弁ユニット１１は、本体部１０の内部に収納される。弁ユニット１１には、上述した給水配管２ａおよび給湯配管３ａが接続される。なお、給水配管２ａは、給水源２ｂに接続され、水流入孔２（図１参照）へ水を流入させる。また、給湯配管３ａは、給湯源３ｂに接続され、湯流入孔３（図１参照）へ湯を流入させる。
【００３４】
レバーハンドル１２は、回動操作することで、後述する吐水部３０の吐水口３２からの吐水量の調節および温度調節を行う。ここで、湯水混合水栓１は、たとえば、１つのレバーハンドル１２を回動操作して吐水量調節および温度調節を行う、いわゆるシングルレバー混合水栓である。なお、弁ユニット１１の詳細については、図４〜図６を用いて後述する。また、レバーハンドル１２の詳細については、図３を用いて後述する。
【００３５】
流路部２０は、第１の流路２１と、第２の流路２３と、合流部２４と、合流路２６とを備える。第１の流路２１には、第１の流出孔４（図１参照）から流出された流出水（水、湯または湯水混合水）が流れる。図２の例では、第１の流路２１を手動吐水用とする。また、第１の流路２１には、流量を検知する流出検知センサ２２が設けられる。流出検知センサ２２には、たとえば、フローセンサが採用される。
【００３６】
第２の流路２３には、第２の流出孔５（図１参照）から流出された流出水が流れる。図２の例では、第２の流路２３を自動吐水用とする。第１の流路２１および第２の流路２３は、それぞれの下流側の合流部２４で合流する。
【００３７】
合流部２４は、上流側に第１の流路２１および第２の流路２３が接続され、下流側に合流路２６が接続される。合流部２４よりも上流側の第２の流路２３には、電気駆動式の開閉弁（たとえば、電磁弁）２５が設けられる。また、合流部２４に接続される合流路２６の最下流には、吐水部３０が接続される。
【００３８】
吐水部３０は、ノズル３１と、吐水口３２と、検知センサ３３とを備える。ノズル３１には、上述した合流路２６が接続され、ノズル３１の最下流に吐水口３２が設けられる。すなわち、吐水口３２からは、第１の流路２１および第２の流路２３のいずれかを流れてきた流出水が吐水される。
【００３９】
検知センサ３３は、たとえば、ノズル３１に設けられる。検知センサ３３は、たとえば、光学センサであり、人手等の対象物を検知する。検知センサ３３は、対象物を検知すると、後述する制御部１００へと検知信号を出力する。
【００４０】
図２に示すように、制御部１００は、流出検知センサ２２、開閉弁２５および検知センサ３３と電気的に接続される。制御部１００は、第１の流路２１に設けられた流出検知センサ２２が流出水を検知すると、開閉弁２５を閉止状態に維持する制御を行う。
【００４１】
流出検知センサ２２が第１の流路２１にて流出水を検知することで、手動吐水中を検知することができる。これにより、手動吐水中に自動吐水側、すなわち、第２の流路２３側からの流出水の流出による手動吐水の吐水量の変化を抑えることができる。また、流出検知センサ２２にフローセンサを用いることで、簡素な構成で、かつ、確実に手動吐水を検知することができる。
【００４２】
また、制御部１００は、検知センサ３３が人手等の対象物を検知すると、開閉弁２５を開放する制御を行う。これにより、第２の流路２３を自動吐水用とすることができる。すなわち、湯水混合水栓１に自動吐水機能を付加することができる。
【００４３】
次に、図３を参照してレバーハンドル１２の操作について説明する。図３は、レバーハンドル１２の説明図である。図３に示すように、レバーハンドル１２が、正面位置Ｃを中心に図中右方（反時計回り）に５０度程度および左方（時計回り）に１０度程度の回動範囲（水領域Ｗ）に位置する場合、吐水口３２（図２参照）からは水が吐水される。
【００４４】
また、レバーハンドル１２が、水領域Ｗよりも図中左方（時計回り）に３０度程度の回動範囲（湯水混合水領域Ｍ）に位置する場合、吐水口３２からは湯水混合水が吐水される。さらに、レバーハンドル１２が、湯水混合水領域Ｍよりも図中左方（時計回り）に１０度程度の回動範囲（湯領域Ｈ）に位置する場合、吐水口３２からは湯が吐水される。
【００４５】
なお、上述した水領域Ｗ、湯水混合水領域Ｍおよび湯領域Ｈを決定する回動角度は一例であり、このような回動角度に限定されるものではない。なお、図３に示すように、レバーハンドル１２が正面位置Ｃにある場合に水が吐水されることとすれば、使用者が無意識に湯を使用することを防止することができる。
【００４６】
次に、図４〜図６を参照して弁ユニット１１について説明する。図４は、弁ユニット１１の模式正面断面図である。図５は、弁ユニット１１の模式分解斜視図である。図６は、可動弁体６の底面図である。なお、図４では、図中左方に止水状態を示し、右方に吐水状態を示している。
【００４７】
図４に示すように、弁ユニット１１は、ケーシング１３と、操作レバー１４と、レバーガイド１５と、上述した可動弁体６と、固定弁体７と、底蓋１６とを備える。ケーシング１３は、径の異なる２つの円筒部（上部円筒部１３ａおよび下部円筒部１３ｂ）を含んで形成され、操作レバー１４の下半部、レバーガイド１５、可動弁体６および固定弁体７を内部に収納する。
【００４８】
操作レバー１４は、ケーシング１３の上面（上部円筒部１３ａの上面）から上半部を露出させるようにケーシング１３に取り付けられる。操作レバー１４の上半部は、レバーハンドル１２（図２参照）に接続される。また、操作レバー１４は、ケーシング１３に嵌入されたレバーガイド１５の中央孔１５ａに挿通され、下半部が可動弁体６に接続される。これにより、操作レバー１４は、レバーガイド１５を軸に直立状態から図４では左側へと傾倒する。
【００４９】
可動弁体６は、レバーガイド１５の下方に配置される。上述したように、図４において可動弁体６は、操作レバー１４の傾倒によって右側へと移動する。固定弁体７は、可動弁体６の下方に配置される。底蓋１６は、固定弁体７の下方に配置される。底蓋１６の上部には、側壁で囲まれた嵌入部１６ａが設けられる。嵌入部１６ａには固定弁体７が嵌入される。
【００５０】
固定弁体７には、上述した水流入孔２、湯流入孔３（図１参照）および第１の流出孔４が設けられる。底蓋１６には、第１の流出孔４と連通する流出孔１６ｂが設けられる。なお、ケーシング１３の内部には、上記各部の間に気密を保持するためのパッキン１７およびＯリング１８が設けられる。
【００５１】
図４に矢線で示すように、弁ユニット１１は、止水状態において可動弁体６が水流入孔２および湯流入孔３のいずれか（図４では、たとえば、水流入孔２とする）と第１の流出孔４との連通が後述する第１の連通部８（図７等参照）によって遮断されている。吐水状態とすべく、可動弁体６を移動させると、水流入孔２と第１の流出孔４とが連通し、水流入孔２から流入された水は、第１の流出孔４および流出孔１６ｂから流出される。
【００５２】
図５に示すように、固定弁体７には、水流入孔２および湯流入孔３が並んで設けられる。また、固定弁体７には、略中央に第１の流出孔４が設けられる。ここで、第１の流出孔４は、手動吐水用の流出孔である。さらに、固定弁体７が嵌入される底蓋１６の底面には、固定弁体７に設けられた２つの流入孔２，３および第１の流出孔４と連通する２つの流入孔１６ｃ，１６ｄおよび１つの流出孔１６ｂが設けられる。
【００５３】
また、ケーシング１３の側面には、自動吐水用としての第２の流出孔５が設けられる。すなわち、第２の流出孔５は、固定弁体７の外部に設けられる。なお、第２の流出孔５が固定弁体７に設けられてもよい。また、第１の流出孔４がケーシング１３の側面等のように固定弁体７の外部に設けられてもよい。
【００５４】
可動弁体６は、固定弁体７に対して摺動可能に設けられる。可動弁体６には、固定弁体７との摺動面に固定弁体７に設けられた２つの流入孔２，３と第１の流出孔４とを連通させる第１の連通部８が設けられる（図６参照）。また、可動弁体６には、２つの流入孔２，３と第２の流出孔５とを連通させる第２の連通部９が設けられる。
【００５５】
図６に示すように、可動弁体６の底面、すなわち、固定弁体７との摺動面には第１の連通部８および第２の連通部９が設けられる。なお、第１の連通部８および第２の連通部９は凹状に設けられる。第１の連通部８は、略矩形と略円形とを組み合わせた、可動弁体６が軸まわりに回動しても２つの流入孔２，３と各流出孔４，５とを連通可能な形状に形成される。また、第２の連通部９は、可動弁体６底面の周縁部６ａに切欠き状に設けられ、可動弁体６の外部へと通じる。
【００５６】
第２の連通部９を切欠きとすることで、固定弁体７の外部に特別に連通部を設けることなく第２の流出孔５との連通が可能となる。これにより、固定弁体７を簡素に構成することができる。
【００５７】
なお、第２の連通部９を切欠き等を設けずに、たとえば、弁ユニット１１の内部空間によって水流入孔２と第２の流出孔５とを連通させてもよい。また、切欠きの代わりに第２の流出孔５へと直接連結させる延出部等を設けてもよい。
【００５８】
次に、図７〜図１０を参照して可動弁体６による自動吐水時の動作および手動吐水時の動作について説明する。図７および図８は、可動弁体６の自動吐水時の動作説明図である。なお、詳細には、図７は、弁ユニット１１の模式縦断面図であり、図８は、弁ユニット１１の模式横断面図である。
【００５９】
図７および図８に示すように、弁ユニット１１が止水状態、すなわち、レバーハンドル１２が水平に正面位置Ｃ（図３参照）にある状態の場合、第２の連通部９によって水流入孔２および湯流入孔３の一方または双方と第２の流出孔５とが連通される。なお、図７および図８では、水流入孔２と第２の流出孔５とが連通される例を示している。
【００６０】
弁ユニット１１が止水状態にある場合は、可動弁体６が図中右側に移動しているため、第２の連通部９によって水流入孔２と第１の流出孔４とが連通遮断されるとともに、水流入孔２と第２の流出孔５とがケーシング１３の内部空間を介して連通される。これにより、図７および図８に矢線で示すように、水流入孔２から流入された水は、第２の流出孔５から流出され、自動吐水用として第２の流路２３（図２参照）へ流れ込む。
【００６１】
また、図９および図１０は、可動弁体６の手動吐水時の動作説明図である。なお、詳細には、図９は、弁ユニット１１の模式縦断面図であり、図１０は、弁ユニット１１の模式横断面図である。
【００６２】
図９および図１０に示すように、弁ユニット１１が吐水状態、すなわち、レバーハンドル１２が上方へと回動した状態の場合、第１の連通部８によって水流入孔２および湯流入孔３の一方または双方と第１の流出孔４とが連通される。なお、図９および図１０では、水流入孔２と第１の流出孔４とが連通される例を示している。
【００６３】
弁ユニット１１が吐水状態にある場合は、可動弁体６が止水状態の位置から図中左側に移動するため、第１の連通部８によって水流入孔２と第１の流出孔４とが連通されるとともに、水流入孔２と第２の流出孔５とが連通遮断される。これにより、図９および図１０に矢線で示すように、水流入孔２から流入された水は、第１の流出孔４から流出され、手動吐水用として第１の流路２１（図２参照）へ流れ込む。
【００６４】
ここで、図８および図１０に示すように、第１の連通部８による連通位置と第２の連通部９による連通位置との距離は、水流入孔２および湯流入孔３の開口幅ｄよりも大きい。これにより、第１の連通部８および第２の連通部９によるそれぞれの連通が確実に分離され、２つの連通部８，９が同時に連通することを防ぐことができる。ここで、連通位置とは、第１の連通部８によって各流入孔２，３と第１の流出孔４とが連通される可動弁体６の位置、または、第２の連通部９によって各流入孔２，３と第２の流出孔５とが連通される可動弁体６の位置のことを指す。
【００６５】
次に、図１１および図１２を参照して可動弁体６による水流入孔２および湯流入孔３の一方または双方と第１の流出孔４および第２の流出孔５のいずれかとの連通動作について説明する。図１１および図１２は、可動弁体６による連通動作の説明図である。
【００６６】
まず、図１１を参照して止水状態（自動吐水状態）における可動弁体６の動作について説明する。なお、図１１では、湯を流出させる状態を（ａ）に、湯水混合水を流出させる状態を（ｂ）に、水を流出させる状態を（ｃ）に、同じく水を流出させる状態を（ｄ）に示している。
【００６７】
図１１（ａ）に示すように、レバーハンドル１２（図２等参照）によって可動弁体６が、正面位置Ｃから左方（時計回り）へ回動した状態とすると、第２の連通部９によって湯流入孔３と第２の流出孔５とが連通される。これにより、第２の流出孔５から湯が流出される。また、図１１（ｂ）に示すように、可動弁体６が、（ａ）の状態から右方（反時計回り）へ回動した状態とすると、水流入孔２および湯流入孔３と第２の流出孔５とが連通される。これにより、第２の流出孔５から湯水混合水が流出される。
【００６８】
また、図１１（ｃ）に示すように、レバーハンドル１２（図２等参照）によって可動弁体６が、正面位置Ｃにある状態では、第２の連通部９によって水流入孔２と第２の流出孔５とが連通される。これにより、図中に矢線で示すように、第２の流出孔５から水が流出される。さらに、図１１（ｄ）に示すように、この後、可動弁体６が、（ｃ）の状態から右方（反時計回り）へ回動した状態としても、水流入孔２と第２の流出孔５とが連通され、第２の流出孔５から水が流出される。
【００６９】
次に、図１２を参照して吐水状態（手動吐水状態）における可動弁体６の動作について説明する。なお、図１２では、図１１と同様、湯を流出させる状態を（ａ）に、湯水混合水を流出させる状態を（ｂ）に、水を流出させる状態を（ｃ）に、同じく水を流出させる状態を（ｄ）に示している。
【００７０】
図１２（ａ）に示すように、レバーハンドル１２（図２等参照）によって可動弁体６が、正面位置Ｃから左方（時計回り）へ回動した状態とすると、第１の連通部８によって湯流入孔３と第１の流出孔４とが連通される。これにより、図中に矢線で示すように、第１の流出孔４から湯が流出される。以降、図１１と同様に、図１２（ｂ）〜（ｄ）に示すように、可動弁体６が右方（反時計回り）に回動して、湯水混合水、水の順で第１の流出孔４から流出される。
【００７１】
上述した湯水混合水栓１によれば、可動弁体６を、第１の流出孔４および第２の流出孔５のいずれかと連通させた状態で水流入孔２および湯流入孔３の並びに沿って動作させることで、流出孔４（または５）から水流入孔２および湯流入孔３の並び通りに水、湯または湯水混合水を流出させることができる。すなわち、可動弁体６の動作方向と２つの流入孔２，３の並びとを一致させることができる。これにより、たとえば、２つの流出孔４，５のいずれかを自動吐水用としても、給水配管２ａおよび給湯配管３ａの配置を変更する必要はなくなる。
【００７２】
なお、給水配管２ａおよび給湯配管３ａを通常の配置とすることができるため、各配管２ａ，３ａにあわせるためにレバーハンドル１２の回動方向を通常とは逆（水を吐水する場合に時計回り、湯を吐水する場合に反時計回り）に回動設定する必要もない。
【００７３】
また、可動弁体６が、第１の連通部８および第２の連通部９を備えることで、可動弁体６の外部にこれら第１の連通部８および第２の連通部９を設けないため、２つの連通部８，９が可動弁体６の動作を妨げることはない。これにより、可動弁体６の動作領域を大きくとることができる。
【００７４】
また、可動弁体６が、第１の連通部８および第２の連通部９のうち固定弁体７の流出孔４（または５）に対応する連通部８（または９）を固定弁体７との摺動面に備えることで、固定弁体７の構成を簡素にすることができる。同様に、可動弁体６の構成を簡素にすることができる。
【００７５】
なお、上述した湯水混合水栓１では、第１の流出孔４を固定弁体７に設け、第２の流出孔５をケーシング１３に設けることとしたが、これとは逆に、第２の流出孔５を固定弁体７に設け、第１の流出孔４をケーシング１３に設けてもよい。また、たとえば、第１の流出孔４および第２の流出孔５をそれぞれ固定弁体７に設けてもよいし、第１の流出孔４および第２の流出孔５をそれぞれ固定弁体７の外部に設けてもよい。
【００７６】
また、上述した湯水混合水栓１では、１つのレバーハンドル１２の回動操作で吐水量調節および温度調節を行うが、これに限定されず、たとえば、複数のレバーハンドルを設け、吐水量調節および温度調節をそれぞれ別のレバーハンドルで行うようにしてもよい。
【００７７】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００７８】
１    湯水混合水栓
２    水流入孔
２ａ  給水配管
３    湯流入孔
３ａ  給湯配管
４    第１の流出孔
５    第２の流出孔
６    可動弁体
７    固定弁体
８    第１の連通部
９    第２の連通部
１０    本体部
１１    弁ユニット
２０    流路部
２１    第１の流路
２２    流出検出センサ
２３    第２の流路
２４    合流部
２２    連通部
２５    開閉弁
３０    吐水部
３３    検知センサ
１００    制御部
【図１】
2016038061.tif 000003
【図２】
2016038061.tif 000004
【図３】
2016038061.tif 000005
【図４】
2016038061.tif 000006
【図５】
2016038061.tif 000007
【図６】
2016038061.tif 000008
【図７】
2016038061.tif 000009
【図８】
2016038061.tif 000010
【図９】
2016038061.tif 000011
【図１０】
2016038061.tif 000012
【図１１】
2016038061.tif 000013
【図１２】
2016038061.tif 000014